【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
クラウドベースのサービス・ケイパビリティ・エクスポージャ・ファンクション（SCEF）を提供するためのシステムであって、前記システムは、
少なくとも１つのプロセッサを含む第１のコンピューティングプラットフォームと、
SCEFサービスを提供するために、および受信されたメッセージの内容に基づき物のインターネット（IoT）サービス処理を呼び出すかどうかを決定し、IoTサービス処理を必要とするメッセージを、前記IoTサービス処理を受信するためのサービス・ケイパビリティ・サーバー（SCS）またはアプリケーション・サーバー（AS）に転送するために、前記少なくとも１つのプロセッサによって実現される第１のセルラデバイス接続（CDC）サービスモジュールと、
IoTデバイスおよび前記第１のCDCサービスモジュールの外部のネットワーク機器が前記第１のCDCサービスモジュールにアクセスすることを可能とするための少なくとも１つの第１のクラウドアクセスインターフェースとを備え、前記第１のコンピューティングプラットフォーム、前記第１のCDCサービスモジュール、および前記少なくとも１つの第１のクラウドアクセスインターフェースは、前記第１のCDCサービスモジュールに前記少なくとも１つの第１のクラウドアクセスインターフェースを介してアクセスする前記第１のCDCサービスモジュールの外部の前記ネットワーク機器をホストしているモバイルネットワークオペレータとは別個のクラウドサービスプロバイダによってホストされる、システム。
【請求項２】
前記第１のCDCサービスモジュールは、受信されたメッセージ内のアクセスポイント名または他のパラメータに基づきIoTサービス処理を呼び出すか否かを決定するように構成される、請求項１に記載のシステム。
【請求項３】
前記第１のCDCサービスモジュールは、インターネットプロトコル（IP）およびnon-IPデバイスのためのイベント監視を行うように構成される、請求項１に記載のシステム。
【請求項４】
前記イベント監視は、前記IPおよびnon-IPデバイスのための位置並びに到達可能性を監視することを含む、請求項３に記載のシステム。
【請求項５】
前記少なくとも１つの第１のクラウドアクセスインターフェースは、Diameterを使用して前記第１のCDCサービスモジュールの外部の前記ネットワーク機器と前記CDCサービスモジュールとの間の通信を可能とするためのDiameterインターフェースを備える、請求項１〜４のいずれかに記載のシステム。
【請求項６】
少なくとも１つのプロセッサを含む第２のコンピューティングプラットフォーム、前記第２のコンピューティングプラットフォームの前記少なくとも１つのプロセッサによって実現される第２のCDCサービスモジュール、および少なくとも１つの第２のクラウドアクセスインターフェースを備え、前記第１および第２のコンピューティングプラットフォームは、別個の可用性ドメイン内に配備される、請求項１〜５のいずれかに記載のシステム。
【請求項７】
第１および第２のCDCサービスモジュールは、セッション状態情報を互いと共有する、請求項６に記載のシステム。
【請求項８】
IoTデバイスからのメッセージトラフィックを前記第１および第２のコンピューティングプラットフォーム間で負荷共有するための第１のロードバランサをさらに備える、請求項７に記載のシステム。
【請求項９】
サービス・ケイパビリティ・サーバーおよびアプリケーション・サーバーからのメッセージトラフィックを前記第１および第２のコンピューティングプラットフォーム間で負荷共有するための第２のロードバランサをさらに備える、請求項８に記載のシステム。
【請求項１０】
前記第１のコンピューティングプラットフォームは、前記受信されたメッセージのうちの少なくともいくつかに対しSCSおよびASサービスを提供するために、前記少なくとも１つのプロセッサによって実現されるIoTサービスモジュールを含む、請求項１〜９のいずれかに記載のシステム。
【請求項１１】
クラウドベースのサービス・ケイパビリティ・エクスポージャ・ファンクション（SCEF）を提供するための方法であって、前記方法は、
少なくとも１つのプロセッサを含む第１のコンピューティングプラットフォームを提供することと、
前記少なくとも１つのプロセッサによって実現される第１のセルラデバイス接続（CDC）サービスモジュールを使用してSCEFサービスを提供することとを備え、前記SCEFサービスを提供することは、受信されたメッセージの内容に基づき物のインターネット（IoT）サービス処理を呼び出すかどうかを決定することと、IoTサービス処理を必要とするメッセージを、前記IoTサービス処理を受信するためのサービス・ケイパビリティ・サーバー（SCS）またはアプリケーション・サーバー（AS）に転送することとを含み、前記方法はさらに、
IoTデバイスおよび前記CDCサービスモジュールの外部のネットワーク機器が前記第１のCDCサービスモジュールにアクセスすることを可能とするための少なくとも１つの第１のクラウドアクセスインターフェースを提供することを備え、前記第１のコンピューティングプラットフォーム、前記第１のCDCサービスモジュール、および前記少なくとも１つの第１のクラウドアクセスインターフェースは、前記第１のCDCサービスモジュールに前記少なくとも１つの第１のクラウドアクセスインターフェースを介してアクセスする前記第１のCDCサービスモジュールの外部の前記ネットワーク機器をホストしているモバイルネットワークオペレータとは別個のクラウドサービスプロバイダによってホストされる、方法。
【請求項１２】
前記第１のCDCサービスモジュールにおいて、受信されたメッセージ内のアクセスポイント名または他のパラメータに基づき前記IoTサービス処理を呼び出すか否かを決定することをさらに備える、請求項１１に記載の方法。
【請求項１３】
前記第１のCDCサービスモジュールにおいて、インターネットプロトコル（IP）およびnon-IPデバイスのためのイベント監視を行うことをさらに備え、前記イベント監視を行うことは、前記IPおよびnon-IPデバイスの位置並びに到達可能性を監視することを含む、請求項１１または１２に記載の方法。
【請求項１４】
前記少なくとも１つの第１のクラウドアクセスインターフェースを提供することは、Diameterを使用して前記ネットワーク機器と前記第１のCDCサービスモジュールとの間の通信を可能とするためのDiameterインターフェースを提供することを備える、請求項１１〜１３のいずれかに記載の方法。
【請求項１５】
少なくとも１つのプロセッサを含む第２のコンピューティングプラットフォーム、前記第２のコンピューティングプラットフォームの前記少なくとも１つのプロセッサによって実現される第２のCDCサービスモジュール、および少なくとも１つの第２のクラウドアクセスインターフェースを提供することと、前記第１のコンピューティングプラットフォームおよび第２のコンピューティングプラットフォームを別個の可用性ドメイン内に配備することとを備える、請求項１１〜１４のいずれかに記載の方法。
【請求項１６】
前記第１および第２のCDCサービスモジュール間で、セッション状態情報を共有することを備える、請求項１５に記載の方法。
【請求項１７】
IoTデバイスからのメッセージトラフィックを前記第１および第２のコンピューティングプラットフォーム間で負荷共有するための第１のロードバランサを提供すること備える、請求項１６に記載の方法。
【請求項１８】
サービス・ケイパビリティ・サーバーおよびアプリケーション・サーバーからのメッセージトラフィックを前記第１および第２のコンピューティングプラットフォーム間で負荷共有するための第２のロードバランサを提供することを備える、請求項１７に記載の方法。
【請求項１９】
前記受信されたメッセージのうちの少なくともいくつかに対しSCSおよびASサービスを提供するために、前記少なくとも１つのプロセッサによって実現されるIoTサービスモジュールを提供することを備える、請求項１１〜１８のいずれかに記載の方法。
【請求項２０】
請求項１１〜１９のいずれかに記載の方法をコンピュータのプロセッサに実行させるためのコンピュータプログラム。